(57)【要約】 【課題】  どのような着色の文字、図形及び写真等の画像であっても、暗号化された情報が収められているドットパターンを当該画像中に適用しうる印刷物を提供する。【解決手段】  この印刷物は、被印刷媒体１面に各ドット２によりドットパターンが印刷されており、このドットパターン上に網点３で構成される画像が印刷されている。ドットパターンの各ドットは、カーボンブラックやフタロシアニングリーン等の赤外線吸収顔料によって印刷されている。画像を構成する網点３は、顔料表面を合成樹脂膜で被覆することにより、赤外線を透過しやすくした被覆顔料によって印刷されている。そして、各ドット２と網点３とは、略同一色で印刷されている。印刷物の画像に、赤外線照射部と赤外線反射光読取部とを有するスキャナー４を当てると、ドットパターンで暗号化された情報が音声等の他の認識手段に変換され出力される。【選択図】  図１
2014007534.tif 000002
【特許請求の範囲】
【請求項１】
被印刷媒体と、
該被印刷媒体面に印刷されたドットパターンと、
該ドットパターン面に印刷された画像層とからなり、
該ドットパターンには暗号化された情報が収められており、赤外線照射部と赤外線反射光読取部とを有するスキャナーを介して、該暗号化された情報が音声等の他の認識手段に変換して出力される印刷物であって、
該ドットパターンは、カーボンブラックやフタロシアニングリーン等の赤外線吸収顔料によって所定の色で印刷されており、
該画像層は、顔料表面を合成樹脂膜で被覆することにより、赤外線を透過しやすくした被覆顔料によって、該ドットパターンと略同一の色で印刷されていることを特徴とするドットパターンが印刷された印刷物。
【請求項２】
被印刷媒体と、
該被印刷媒体面に印刷された画像層と、
該画像層面に印刷されたドットパターンとからなり、
該ドットパターンには暗号化された情報が収められており、赤外線照射部と赤外線反射光読取部とを有するスキャナーを介して、該暗号化された情報が音声、文字又は画像等に変換して出力される印刷物であって、
該ドットパターンは、カーボンブラックやフタロシアニングリーン等の赤外線吸収顔料によって所定の色で印刷されており、
該画像層は、顔料表面を合成樹脂膜で被覆することにより、赤外線を透過しやすくした被覆顔料によって、該ドットパターンと略同一の色で印刷されていることを特徴とするドットパターンが印刷された印刷物。
【請求項３】
ドットパターン又は画像層が印刷された被印刷媒体面は、白ベタ印刷で処理されている請求項１又は２記載のドットパターンが印刷された印刷物。
【請求項４】
被印刷媒体は、アルミニウム箔の片面が白ベタ印刷で処理されているものである請求項３記載のドットパターンが印刷された印刷物。
【請求項５】
ドットパターンが印刷された赤外線吸収顔料は少なくともカーボンブラックを含み、画像層が印刷された被覆顔料は少なくとも下記構造式（Ｉ）で表されるペリレンブラック顔料表面を合成樹脂膜で被覆した被覆顔料を含む請求項１又は２記載のドットパターンが印刷された印刷物。
【化１】
2014007534.tif 000004
【請求項６】
請求項１又は２記載のドットパターンが印刷された印刷物を用いてなる包装材料。
【請求項７】
請求項４記載のドットパターンが印刷された印刷物を用いてなるプレススルーパック。
【発明の詳細な説明】
【技術分野】
【０００１】
本発明は、情報を暗号化したドットパターンが印刷された印刷物に関し、ドットパターンが目視しにくく、印刷された画像を損なうことのない印刷物に関するものである。なお、本発明において、画像とは、文字、図形及び写真等を含み、印刷されたものであれば全てを含む意味で用いられている。
【背景技術】
【０００２】
従来より、たとえばバーコードのように、暗号化された情報を被印刷物に印刷することが行われている。バーコードはその面積が大きく、被印刷物の所定の領域を占有して印刷されていた。
【０００３】
近年、暗号化された情報を微細なドットパターンで被印刷物に印刷することが行われている。微細なドットパターンは、バーコードに比べてその占有面積が小さいため、以下のような使用方法も採用されている。たとえば、微細なドットパターンを犬の画像中に印刷し、犬の画像に読取器（スキャナー）を当てれば、「いぬ」という音声を発したり、或いはその犬に関する種々の説明を音声で発するような使用方法が用いられている。
【０００４】
ところで、微細なドットパターンはカーボンブラックで印刷され、赤外線照射部と赤外線反射光読取部とを有するスキャナーで読み取って、暗号化された情報を音声等の他の認識手段に変換して出力されるものである。したがって、犬の画像中にカーボンブラックでドットパターンを印刷すると、犬の画像が損なわれてしまうということがあった。
【０００５】
このため、犬を画像をシアン、マゼンタ、イエロー及びカーボンブラックを用いて印刷する場合、まずシアン、マゼンタ及びイエローで犬の画像を印刷し、その後、犬の画像中にカーボンブラックでドットパターンを印刷すると共に、犬の画像を完成させるという手法が採用されている（特許文献１）。しかしながら、この手法は、カーボンブラックのみで画像を印刷する場合、適用できないという制限があった。また、カーボンブラックを用いずに、シアン、マゼンタ及びイエローのみで画像を印刷する場合も、適用できないという制限があった。すなわち、この手法は、任意の印刷物に適用できないという憾みがあった。
【０００６】
【特許文献１】特許第４２４３６４４号公報
【発明の開示】
【発明が解決しようとする課題】
【０００７】
本発明の課題は、どのような着色の画像であっても、ドットパターンを当該画像中に適用しうる印刷物を提供することにある。
【課題を解決するための手段】
【０００８】
上記課題を解決するため、本発明は、所定の色を呈する赤外線吸収顔料でドットパターンを形成し、そのドットパターンの上又は下に、当該所定の色と略同色を呈する赤外線透過顔料で画像を形成したものである。
【０００９】
すなわち、本発明は、被印刷媒体と、該被印刷媒体面に印刷されたドットパターンと、該ドットパターン面に印刷された画像層とからなり、該ドットパターンには暗号化された情報が収められており、赤外線照射部と赤外線反射光読取部とを有するスキャナーを介して、該暗号化された情報が音声等の他の認識手段に変換して出力される印刷物であって、該ドットパターンは、カーボンブラックやフタロシアニングリーン等の赤外線吸収顔料によって所定の色で印刷されており、該画像層は、顔料表面を合成樹脂膜で被覆することにより、赤外線を透過しやすくした被覆顔料によって、該ドットパターンと略同一の色で印刷されていることを特徴とするドットパターンが印刷された印刷物に関するものである。また、画像層とドットパターンとは、逆に印刷されていてもよく、画像層面にドットパターンが印刷されていてもよい。
【００１０】
本発明の原理を説明すれば、以下のとおりである。図１は、被印刷物１にドットパターンと画像が印刷された印刷物の模式的側面図である。黒四角はドットパターンを構成している各ドット２を示したものであり、白四角は画像を構成している各網点３を示したものである。図２は、画像にスキャナー４を当てて、画像に赤外線を照射した状態を示した模式的側面図であり、矢印が赤外線を示している。なお、スキャナー４と画像層とが離れて図示されているが、スキャナー４は画像層に当接していてもよい。各網点３は、赤外線を透過しやすくした被覆顔料で形成されているので、各網点３に照射された赤外線は透過する。そして、各網点３を透過した後、ドット２に照射された赤外線は、ドット２が赤外線吸収顔料で形成されているので、吸収される。各網点３を透過しドット２以外の箇所に照射された赤外線は、被印刷物１表面から反射し、再び各網点３を通過して反射し、この反射した赤外線がスキャナー４で読み取られる（図３）。これによって、ドットパターンによって暗号化された情報がスキャナー４で認識され、音声等に変換して出力されるのである。なお、上記した例は、ドットパターン上に画像の各網点３が印刷されたものであるが、画像の各網点３の上にドットパターンが印刷されていても、同様の原理で、ドットパターンによって暗号化された情報がスキャナー４で認識され、音声等に変換して出力される。
【００１１】
本発明は、各網点３を構成している顔料として赤外線を透過しやすくした顔料を用い、各ドット２を構成している顔料して赤外線を吸収しやすい顔料を用いたものである。そして、各網点３の色と各ドット２の色とを略同一色で形成したことにより、どのような着色であっても、ドットパターンを読み取れるようにしたことが、本発明の特徴である。
【００１２】
ドット２を構成している顔料としては、カーボンブラックやフタロシアニングリーン等の従来公知の赤外線吸収顔料が用いられる。ドット２の色は、画像の色と同一色となるように、複数の赤外線吸収顔料を混合して混色する。一方、各網点３の色は、本件発明者が開発した赤外線が透過しやすい被覆顔料を用いて混色される（特許第４７３１１０８号及び特許第３７７１９２２号）。この被覆顔料は、顔料表面を合成樹脂膜で被覆したものであって、顔料自体は赤外線を吸収しやすいものであるが、合成樹脂膜で被覆することによって、赤外線が透過しやすくなるものである。
【発明の効果】
【００１３】
本発明は、ドットパターンを印刷するための顔料として赤外線吸収顔料を混合し、一方、画像を印刷するための顔料として赤外線を透過しやすい被覆顔料を混合し、両者を略同一色となるように混色する。そして、ドットパターン上に画像を印刷するか、又は画像上にドットパターンを印刷して印刷物とする。したがって、画像とドットパターンは略同一色が構成されているため、画像を損なうことなく、ドットパターンを形成することができる。
【図面の簡単な説明】
【００１４】
【図１】ドットパターンと画像とが印刷された本発明の一例に係る印刷物の模式的側面図である。
【図２】図１の印刷物の画像にスキャナーを当てて、赤外線を照射している状態を示した模式的側面図である。
【図３】図１の印刷物の画像にスキャナーを当てて、赤外線が反射している状態を示した模式的側面図である。
【発明を実施するための形態】
【００１５】
本発明に用いる被印刷物としては、紙、プラスチックフィルム、布帛又は金属箔等が用いられる。被印刷物としては、紙以外のものを用いた場合、その印刷下地が白色ではない場合が多いので、ドットパターンや画像を印刷する前に、白ベタ印刷しておくのが好ましい。印刷下地が白色ではなく、黒色であったり、金属光沢を有していたり、透明であったりすると、画像を透過した赤外線が良好に反射せず、反射光をスキャナー４で読み取りにくくなるからである。また、金属箔としては、アルミニウム箔を用いるのが好ましい。アルミニウム箔を被印刷物とする印刷物は、包装材料として好適に用いられ、特に、錠剤の容器であるプレススルーパックによく用いられており、汎用的だからである。
【００１６】
ドットパターンは、カーボンブラックやフタロシアニングリーン等の赤外線吸収顔料を用いて印刷される。ドットパターンを所定の色とするには、各種の色の赤外線吸収顔料を混合して、混色すればよい。たとえば、カーボンブラック、フタロシアニングリーン、ジスアゾエロー、フタロシアニンブルー、縮合アゾレッド、不溶性アゾレッド、ジスアゾオレンジ又はジオキサジンバイオレット等を混合し混色すればよい。なお、ドットパターンは基本的に赤外線吸収顔料で形成されているが、二酸化チタン等の赤外線反射性顔料を若干量混合してもよい。若干量であれば、赤外線の反射強度は小さく、スキャナー４での読み取り時に誤認を生じにくいからである。
【００１７】
画像は、顔料表面を合成樹脂膜で被覆することにより、赤外線を透過しやすくした被覆顔料で形成されている。この被覆顔料の詳細は、特許第４７３１１０８号及び特許第３７７１９２２号に具体的に記載されている。被覆顔料で黒色顔料を得るには、カーボンブラックを使用せずに、下記構造式（Ｉ）のペリレンブラックを採用するのが好ましい（特許第３７７１９２２号）。このペリレンブラックは、黒色でありながら、赤外線透過性に優れているからである。
【化１】
2014007534.tif 000003
【００１８】
上記ペリレンブラックの他に、画像に所定の色を付与するため、その他の被覆顔料が混合され、混色される。たとえば、フタロシアニングリーン、ジスアゾエロー、二酸化チタン、縮合アゾレッド、不溶性アゾレッド、フタロシアニンブルー、ジオキサンバイオレット又はジスアゾオレンジ等が、合成樹脂膜で被覆された被覆顔料が用いられる。被覆顔料を得るには、たとえば、酢酸ビニル−塩化ビニル共重合体をロール分散機上で加熱溶融させ、そこに顔料を添加して分散させればよい（特許第４７３１１０８号及び特許第３７７１９２２号）。
【００１９】
本発明に係る印刷物を得るには、以下の方法による。まず、紙や金属箔等の被印刷物を準備する。そして、必要に応じて、印刷される面を白ベタ処理する。白ベタ処理面に、赤外線吸収顔料を含む所定の色のインキを用いて、ドットパターンを印刷する。次に、ドットパターン面上に、被覆顔料を含む略同一の色のインキを用いて画像を印刷すれば、本発明に係る印刷物を得ることができる。また、白ベタ処理面に、被覆顔料を含む所定の色のインキを用いて画像を印刷した後、画像面上に、赤外線吸収顔料を含む略同一の色のインキを用いて、ドットパターンを印刷しても、本発明に係る印刷物を得ることができる。
【００２０】
本発明に係る印刷物は、包装材料に用いるのに最適である。一般的に包装材料には、収納されている内容物の写真や説明文等の画像が印刷されている。この画像中にドットパターンを印刷しておけば、画像にスキャナーを当てることにより、内容物の説明を音声に変換して出力し、その内容物の関する説明を文字を読めない人や目の不自由な人が認識しうるからである。特に、薬等の錠剤を収納したプレススルーパックは、アルミニウム箔よりなる包装材料であるが、このアルミニウム箔表面に印刷される文字や商標等の画像中にドットパターンを印刷しておけば、画像にスキャナーを当てることにより、薬の種類、効能及び有効期限等の情報を音声で認識できる。したがって、薬を飲み間違いやすい老人であっても、音声で薬の情報を認識できるようになり、便利である。
【実施例】
【００２１】
実施例１
顔料としてカーボンブラック１００質量％を含む黒色インキＡを用いて、白ベタ処理を施したアルミニウム箔表面にドットパターンを印刷した。このドットパターンの上に、ペリレンブラック（ＢＡＳＦ社製、「ＰＡＬＩＯＧＥＮ  ＢＬＡＣＫ  Ｓ  ００８４」）表面を酢酸ビニル−塩化ビニル共重合体よりなる合成樹脂膜で被覆した被覆顔料（特許第３７７１９２２号の実施例１を参照のこと。）を含む黒色インキＢを用いて画像を印刷し、印刷物を得た。
【００２２】
実施例２
顔料として、カーボンブラック２２質量％、不溶性アゾレッド４６．３質量％、フタロシアニンブルー３１．７質量％を混合したものを含む藍色インキＡを準備した。そして、この藍色インキＡを用いて、白ベタ処理を施したアルミニウム箔表面にドットパターンを印刷した。
一方、ペリレンブラック表面を酢酸ビニル−塩化ビニル共重合体よりなる合成樹脂膜で被覆した被覆顔料１、不溶性アゾレッド表面を酢酸ビニル−塩化ビニル共重合体よりなる合成樹脂膜で被覆した被覆顔料２及びフタロシアニンブルー表面を酢酸ビニル−塩化ビニル共重合体よりなる合成樹脂膜で被覆した被覆顔料３を準備した。そして、顔料として、被覆顔料１を３７．０質量％、被覆顔料２を４０．８質量％及び被覆顔料３を４．６質量％混合したものを含む藍色インキＢを作成した。この藍色インキＢを用いて、ドットパターン上に画像を印刷し、印刷物を得た。
【００２３】
実施例３
顔料として、カーボンブラック２１．１質量％、ジスアゾエロー２３．７質量％、フタロシアニンブルー５５．２質量％を混合したものを含む緑色インキＡを準備した。そして、この緑色インキＡを用いて、白ベタ処理を施したアルミニウム箔表面にドットパターンを印刷した。
一方、ペリレンブラック表面を酢酸ビニル−塩化ビニル共重合体よりなる合成樹脂膜で被覆した被覆顔料１、ジスアゾエロー表面を酢酸ビニル−塩化ビニル共重合体よりなる合成樹脂膜で被覆した被覆顔料２、フタロシアニンブルー表面を酢酸ビニル−塩化ビニル共重合体よりなる合成樹脂膜で被覆した被覆顔料３及び縮合アゾレッド表面を酢酸ビニル−塩化ビニル共重合体よりなる合成樹脂膜で被覆した被覆顔料４を準備した。そして、顔料として、被覆顔料１を２９．０質量％、被覆顔料２を１８．９質量％、被覆顔料３を４４．６質量％及び被覆顔料４を７．５質量％混合したものを含む緑色インキＢを作成した。この緑色インキＢを用いて、ドットパターン上に画像を印刷し、印刷物を得た。
【００２４】
実施例４
顔料として、カーボンブラック１．４質量％、ジスアゾエロー１４．１質量％、ジスアゾオレンジ７．０質量％、不溶性アゾレッド７２．８質量％及びジオキサジンバイオレット４．７質量％を混合したものを含む紫色インキＡを準備した。そして、この紫色インキＡを用いて、白ベタ処理を施したアルミニウム箔表面にドットパターンを印刷した。
一方、ジオキサジンバイオレット表面を酢酸ビニル−塩化ビニル共重合体よりなる合成樹脂膜で被覆した被覆顔料１、不溶性アゾレッド表面を酢酸ビニル−塩化ビニル共重合体よりなる合成樹脂膜で被覆した被覆顔料２、ジスアゾオレンジ表面を酢酸ビニル−塩化ビニル共重合体よりなる合成樹脂膜で被覆した被覆顔料３及びジスアゾエロー表面を酢酸ビニル−塩化ビニル共重合体よりなる合成樹脂膜で被覆した被覆顔料４を準備した。そして、顔料として、被覆顔料１を４．７質量％、被覆顔料２を７８．１質量％、被覆顔料３を４．９質量％及び被覆顔料４を１２．３質量％混合したものを含む紫色インキＢを作成した。この紫色インキＢを用いて、ドットパターン上に画像を印刷し、印刷物を得た。
【００２５】
実施例５
顔料として、カーボンブラック１．２質量％、ジスアゾオレンジ５５．４質量％及び不溶性アゾレッド４３．４質量％を混合したものを含む赤色インキＡを準備した。そして、この赤色インキＡを用いて、白ベタ処理を施したアルミニウム箔表面にドットパターンを印刷した。
一方、ペリレンブラック表面を酢酸ビニル−塩化ビニル共重合体よりなる合成樹脂膜で被覆した被覆顔料１、不溶性アゾレッド表面を酢酸ビニル−塩化ビニル共重合体よりなる合成樹脂膜で被覆した被覆顔料２及びジスアゾオレンジ表面を酢酸ビニル−塩化ビニル共重合体よりなる合成樹脂膜で被覆した被覆顔料３を準備した。そして、顔料として、被覆顔料１を１．１質量％、被覆顔料２を４８．５質量％及び被覆顔料３を５０．４質量％混合したものを含む赤色インキＢを作成した。この赤色インキＢを用いて、ドットパターン上に画像を印刷し、印刷物を得た。
【００２６】
実施例６
顔料としてフタロシアニングリーン１００質量％を含む緑色インキＡを用いて、白ベタ処理を施したアルミニウム箔表面にドットパターンを印刷した。
一方、ジスアゾエロー表面を酢酸ビニル−塩化ビニル共重合体よりなる合成樹脂膜で被覆した被覆顔料１及びフタロシアニンブルー表面を酢酸ビニル−塩化ビニル共重合体よりなる合成樹脂膜で被覆した被覆顔料２を準備した。そして、顔料として、被覆顔料１を２５．０質量％及び被覆顔料２を７５．０質量％混合したものを含む緑色インキＢを作成した。この緑色インキＢを用いて、ドットパターン上に画像を印刷し、印刷物を得た。
【００２７】
実施例７
顔料として、フタロシアニングリーン７４．０質量％、二酸化チタン１２．０質量％及びジスアゾエロー１４．０質量％を混合したものを含む黄緑色インキＡを準備した。そして、この黄緑色インキＡを用いて、白ベタ処理を施したアルミニウム箔表面にドットパターンを印刷した。
一方、ジスアゾエロー表面を酢酸ビニル−塩化ビニル共重合体よりなる合成樹脂膜で被覆した被覆顔料１及びフタロシアニンブルー表面を酢酸ビニル−塩化ビニル共重合体よりなる合成樹脂膜で被覆した被覆顔料２を準備した。そして、顔料として、被覆顔料１を６０．７質量％及び被覆顔料２を３９．３質量％混合したものを含む黄緑色インキＢを作成した。この黄緑色インキＢを用いて、ドットパターン上に画像を印刷し、印刷物を得た。
【００２８】
実施例１〜７で得られた印刷物の画像に、スキャナー（グリッドマーク株式会社製、商品名「Ｇスキャナー」）を当てたところ、ドットパターンで暗号化された情報を良好に音声に変換することができた。
【符号の説明】
【００２９】
１  被印刷物
２  ドットパターンを構成している各ドット
３  画像を構成している各網点
４  スキャナー
【図１】
2014007534.tif 000005
【図２】
2014007534.tif 000006
【図３】
2014007534.tif 000007